(57)【要約】【課題】  ＭＭＳ支援端末によって作成したマルチメディアメッセージをＭＭＳ非支援端末によって確認できるように互換するマルチメディアメッセージサービス互換システム及び方法を提供する。【解決手段】  マルチメディアメッセージサービス互換システムは、送信端末から伝送されたマルチメディアメッセージが受信端末で具現できない場合、前記マルチメディアメッセージのフォーマットを変換し、前記変換されたマルチメディアメッセージのＵＲＬ(Uniform Resource Locator)及びアクセスコードを伝送する第１システムと、前記第１システムから通報されたＵＲＬ及びアクセスコードを受信端末に伝送する第２システムと、前記ＵＲＬに接続して前記フォーマットが変換されたマルチメディアメッセージを受信する受信端末と、を含んで構成されることを特徴とする。【選択図】  図１
2005209199.tif 000002
【特許請求の範囲】
【請求項１】
マルチメディアメッセージを伝送するシステムにおいて、
送信端末から伝送されたマルチメディアメッセージが受信端末で具現できない場合、前記マルチメディアメッセージのフォーマットを変換し、前記変換されたマルチメディアメッセージのＵＲＬ(Uniform Resource Locator)及びアクセスコードを伝送する第１システムと、
前記第１システムから通報されたＵＲＬ及びアクセスコードを受信端末に伝送する第２システムと、
前記ＵＲＬに接続して前記フォーマットが変換されたマルチメディアメッセージを受信する受信端末と、
を含んで構成されることを特徴とするマルチメディアメッセージサービス互換システム。
【請求項２】
前記第１システムと受信端末との間でマルチメディアメッセージに対する要請及び応答メッセージを伝送するＷＡＰ(Wireless Application Protocol)ゲートウェイをさらに含むことを特徴とする請求項１に記載のマルチメディアメッセージサービス互換システム。
【請求項３】
前記第１システムに連結された端末の固有情報を貯蔵するＨＬＲ(Home Location Register)をさらに含むことを特徴とする請求項１に記載のマルチメディアメッセージサービス互換システム。
【請求項４】
前記固有情報は、ＭＳＩＳＤＮ(Mobile station Integrated System Digital Network)とＭＩＮ(MobileIdentification Number)のうち少なくとも１つ以上を含むことを特徴とする請求項３に記載のマルチメディアメッセージサービス互換システム。
【請求項５】
前記第１システムは、
マルチメディアメッセージ及び該マルチメディアメッセージに対する情報を送受信する送受信ユニットと、
前記マルチメディアメッセージを前記受信端末で具現できるフォーマットのマルチメディアメッセージに変換する変換ユニットと、
前記マルチメディアメッセージ及び前記変換されたマルチメディアメッセージを貯蔵する貯蔵ユニットと、
前記変換されたマルチメディアメッセージのＵＲＬに接近可能なアクセスコードを生成及び貯蔵するアクセスコード生成ユニットと、
受信端末に搭載された連動プログラムを確認する情報確認ユニットと、
前記マルチメディアメッセージが到着したことを前記受信端末に知らせる公知ユニットと、
前記変換されたマルチメディアメッセージのＵＲＬに接近するための認証を処理する認証ユニットと、から構成されることを特徴とする請求項１に記載のマルチメディアメッセージサービス互換システム。
【請求項６】
前記貯蔵ユニットは、
送信端末から受信したマルチメディアメッセージを貯蔵する領域と、
変換ユニットによって変換されたマルチメディアメッセージを貯蔵するための領域と、を含むことを特徴とする請求項５に記載のマルチメディアメッセージサービス互換システム。
【請求項７】
前記貯蔵ユニットは、第１システムの外部に別途の貯蔵媒体として備えられることができることを特徴とする請求項５に記載のマルチメディアメッセージサービス互換システム。
【請求項８】
前記アクセスコード生成ユニットは、乱数発生アルゴリズムを利用して、毎度異なるアクセスコードを生成することを特徴とする請求項５に記載のマルチメディアメッセージサービス互換システム。
【請求項９】
前記認証ユニットは、
前記受信端末から伝送されるアクセスコードと前記アクセスコード生成ユニットに予め貯蔵されたアクセスコードを比較する方法と、前記受信端末の固有情報とＨＬＲに予め貯蔵された固有情報を比較する方法と、受信者が第１システムに予め設定したパスワードと前記受信端末を通して入力されるパスワードを比較する方法と、保安アルゴリズムによって変形された受信端末の固有情報を利用する方法とのうち、少なくとも１つ以上の方法を利用して前記受信端末の認証を処理することを特徴とする請求項５に記載のマルチメディアメッセージサービス互換システム。
【請求項１０】
前記第１システムは、ＭＭＳ(Multimedia Message Service)システムであることを特徴とする請求項１に記載のマルチメディアメッセージサービス互換システム。
【請求項１１】
前記第２システムは、ＳＭＳ(Short Message Service)システムであることを特徴とする請求項１に記載のマルチメディアメッセージサービス互換システム。
【請求項１２】
前記ＳＭＳシステムは、変換されたマルチメディアメッセージのＵＲＬ及びアクセスコードを含む短文メッセージを伝送することを特徴とする請求項１１に記載のマルチメディアメッセージサービス互換システム。
【請求項１３】
前記短文メッセージは、
マルチメディアメッセージの到着を公知するテキストと、前記ＵＲＬへの接続可否を聞くテキストと、マルチメディアメッセージに含まれたテキストの一部または全部とのうち少なくとも１つ以上を含むことを特徴とする請求項１２に記載のマルチメディアメッセージサービス互換システム。
【請求項１４】
前記第２システムは、ＷＡＰ ＰＰＧ(Push Proxy Gateway)であることを特徴とする請求項１に記載のマルチメディアメッセージサービスシステム。
【請求項１５】
前記ＷＡＰ ＰＰＧは、変換されたマルチメディアメッセージのＵＲＬ及びアクセスコードを含むＳＩメッセージを受信端末にプッシュすることを特徴とする請求項１４に記載のマルチメディアメッセージサービスシステム。
【請求項１６】
前記ＳＩメッセージは、マルチメディアメッセージの到着を公知するテキストと、前記ＵＲＬへの接続可否を聞くテキストと、マルチメディアメッセージに含まれたテキストの一部または全部とのうち少なくとも１つ以上を含むことを特徴とする請求項１５に記載のマルチメディアメッセージサービスシステム。
【請求項１７】
前記送信端末は、ＭＭＳ支援端末であることを特徴とする請求項１に記載のマルチメディアメッセージサービス互換システム。
【請求項１８】
前記受信端末は、ＭＭＳ非支援端末であることを特徴とする請求項１に記載のマルチメディアメッセージサービス互換システム。
【請求項１９】
マルチメディアメッセージを伝送するシステムにおいて、
受信端末がＭＭＳ非支援端末である場合、第１システムが、前記マルチメディアメッセージを受信端末が支援するフォーマットに変換し、前記変換されたマルチメディアメッセージのＵＲＬ及びアクセスコードを第２システムを通して受信端末に通報する過程と、
前記受信端末がＷＡＰゲートウェイを通して前記ＵＲＬに貯蔵されたマルチメディアメッセージを要請する過程と、
前記第１システムが前記要請に対する認証を処理し、前記ＷＡＰゲートウェイを通して前記変換されたマルチメディアメッセージを受信端末に伝送する過程と、
から構成されることを特徴とするマルチメディアメッセージサービス互換方法。
【請求項２０】
前記第１システムは、ＭＭＳシステムであることを特徴とする請求項１９に記載のマルチメディアメッセージサービス互換方法。
【請求項２１】
前記第２システムは、ＳＭＳシステムであることを特徴とする請求項１９に記載のマルチメディアメッセージサービス互換方法。
【請求項２２】
前記第２システムは、ＷＡＰ ＰＰＧであることを特徴とする請求項１９に記載のマルチメディアメッセージサービス互換方法。
【請求項２３】
前記ＵＲＬ及びアクセスコードを通報する過程は、
前記第１システムが前記受信端末の固有情報を確認する過程と、
前記受信端末がＭＭＳ非支援端末であると、前記第１システムが前記マルチメディアメッセージのフォーマットを受信端末が支援するフォーマットに変換する過程と、
前記第１システムが前記変換されたマルチメディアメッセージのＵＲＬに接近するためのアクセスコードを算出する過程と、
前記第１システムが前記ＵＲＬ及びアクセスコードを第２システムに伝送する過程と、
前記第２システムが、所定のメッセージに前記ＵＲＬ及びアクセスコードを含めて受信端末に通報する過程と、から構成されることを特徴とする請求項１９に記載のマルチメディアメッセージサービス互換方法。
【請求項２４】
前記マルチメディアメッセージのフォーマットを変換する過程は、
前記受信端末がＭＭＳ非支援端末であると、前記第１システムが前記マルチメディアの到着を第２システムを通して受信端末に通報する過程と、
前記ＷＡＰゲートウェイを通して前記受信端末から前記マルチメディアメッセージに対する要請を受信する過程と、をさらに含むことを特徴とする請求項２３に記載のマルチメディアメッセージサービス互換方法。
【請求項２５】
前記所定のメッセージは、前記第２システムがＳＭＳシステムである場合、短文メッセージであることを特徴とする請求項２３に記載のマルチメディアメッセージサービス互換方法。
【請求項２６】
前記所定のメッセージは、前記第２システムがＷＡＰ ＰＰＧである場合、ＳＩ形式のメッセージであることを特徴とする請求項２３に記載のマルチメディアメッセージサービス互換方法。
【請求項２７】
前記マルチメディアメッセージを受信端末に伝送する過程は、
前記第１システムが前記ＵＲＬに対する認証を処理する過程と、
認証処理が完了すると、前記ＵＲＬに該当するマルチメディアメッセージを前記ＷＡＰゲートウェイを通して前記受信端末に伝送する過程と、から構成されることを特徴とする請求項１９に記載のマルチメディアメッセージサービス互換方法。
【請求項２８】
前記認証を処理する過程は、
前記受信端末から伝送されたアクセスコードと第１システムに予め貯蔵されたアクセスコードが一致するか否かを確認する過程と、
前記アクセスコードが一致すると、認証を処理する過程と、
前記アクセスコードが一致しないと、認証処理ができないことを受信端末に通報する過程と、から構成されることを特徴とする請求項２７に記載のマルチメディアメッセージサービス互換方法。
【請求項２９】
前記変換されたマルチメディアメッセージを受信した受信端末が前記マルチメディアメッセージと連動される所定のブラウザを活性化する過程と、
前記ブラウザを通してマルチメディアメッセージを具現する過程と、をさらに含むことを特徴とする請求項１９に記載のマルチメディアメッセージサービス互換方法。
【請求項３０】
送信端末からマルチメディアメッセージを受信した第１システムが受信端末の情報を確認する過程と、
前記受信端末がＭＭＳ非支援端末である場合、第１システムが公知ユニットを通して第２システムに前記マルチメディアメッセージの到着を通報する過程と、
前記第２システムが所定のメッセージを利用して前記マルチメディアメッセージの到着を前記受信端末に通報する過程と、
第１システムが前記受信端末からマルチメディアメッセージに対する受信要請をＷＡＰゲートウェイを通して受信する過程と、
前記第１システムが、変換ユニットによって前記マルチメディアメッセージを受信端末が支援するフォーマットに変換し、前記変換されたマルチメディアメッセージのＵＲＬに接近するためのアクセスコードをアクセスコード生成ユニットによって算出する過程と、
前記第１システムが前記変換されたマルチメディアメッセージのＵＲＬ及びアクセスコードを第２システムに伝送する過程と、
前記第２システムが、所定のメッセージを通して前記マルチメディアメッセージのＵＲＬ及びアクセスコードを前記受信端末に伝送する過程と、
前記受信端末がＷＡＰゲートウェイを通して前記ＵＲＬに接続すると、前記第１システムが前記アクセスコードを利用して認証を処理する過程と、
認証処理が完了すると、前記第１システムが前記マルチメディアメッセージを前記ＷＡＰゲートウェイを通して前記受信端末に伝送する過程と、
から構成されることを特徴とするマルチメディアメッセージサービス互換方法。
【請求項３１】
前記受信端末の情報を確認する過程は、
第１システムがＨＬＲを通して受信端末の固有情報を確認する過程と、
第１システムの情報確認ユニットによって受信端末に搭載された連動プログラムを確認する過程と、から構成されることを特徴とする請求項３０に記載のマルチメディアメッセージサービス互換方法。
【請求項３２】
前記第１システムは、ＭＭＳシステムであることを特徴とする請求項３０に記載のマルチメディアメッセージサービス互換方法。
【請求項３３】
前記第２端末が伝送する所定のメッセージは、前記第２端末がＳＭＳシステムである場合、短文メッセージであることを特徴とする請求項３０に記載のマルチメディアメッセージサービス互換方法。
【請求項３４】
前記第２端末が伝送する所定のメッセージは、前記第２端末がＷＡＰＰＰＧである場合、ＳＩ形式のメッセージであることを特徴とする請求項３０に記載のマルチメディアメッセージサービス互換方法。
【請求項３５】
前記第２システムがマルチメディアメッセージの到着を受信端末に通報する過程は、マルチメディアメッセージのテキストの一部または全部を含んで伝送することを特徴とする請求項３０に記載のマルチメディアメッセージサービス互換方法。
【請求項３６】
前記第２システムがＵＲＬ及びアクセスコードを受信端末に伝送する過程は、マルチメディアメッセージの受信可否を聞くテキストをさらに含んで伝送することを特徴とする請求項３０に記載のマルチメディアメッセージサービス互換方法。
【請求項３７】
送信端末からマルチメディアメッセージを受信した第１システムが受信端末の情報を確認する過程と、
前記受信端末がＭＭＳ非支援端末である場合、第１システムが変換ユニットによって前記マルチメディアメッセージを受信端末が支援するフォーマットに変換し、前記変換されたマルチメディアメッセージのＵＲＬに接近するためのアクセスコードをアクセスコード生成ユニットによって算出する過程と、
前記第１システムが前記変換されたマルチメディアメッセージのＵＲＬ及びアクセスコードを第２システムに伝送する過程と、
前記第２システムが所定のメッセージを通して前記マルチメディアメッセージのＵＲＬ及びアクセスコードを前記受信端末に伝送する過程と、
前記受信端末がＷＡＰゲートウェイを通して前記ＵＲＬに接続すると、前記第１システムが前記アクセスコードを利用して認証を処理する過程と、
認証処理が完了すると、前記第１システムが前記マルチメディアメッセージを前記ＷＡＰゲートウェイを通して前記受信端末に伝送する過程と、
から構成されることを特徴とするマルチメディアメッセージサービス互換方法。
【請求項３８】
前記受信端末の情報を確認する過程は、
第１システムがＨＬＲを通して受信端末の固有情報を確認する過程と、
第１システムの情報確認ユニットによって受信端末に搭載された連動プログラムを確認する過程と、から構成されることを特徴とする請求項３７に記載のマルチメディアメッセージサービス互換方法。
【請求項３９】
前記第１システムは、ＭＭＳシステムであることを特徴とする請求項３７に記載のマルチメディアメッセージサービス互換方法。
【請求項４０】
前記第２端末が伝送する所定のメッセージは、前記第２端末がＳＭＳシステムである場合、短文メッセージであることを特徴とする請求項３７に記載のマルチメディアメッセージサービス互換方法。
【請求項４１】
前記第２端末が伝送する所定のメッセージは、前記第２端末がＷＡＰＰＰＧである場合、ＳＩ形式のメッセージであることを特徴とする請求項３７に記載のマルチメディアメッセージサービス互換方法。
【請求項４２】
前記第２システムがＵＲＬ及びアクセスコードを受信端末に伝送する過程は、
マルチメディアメッセージの受信可否を聞くテキストと、マルチメディアメッセージのテキストの一部または全部とのうち少なくとも１つ以上をさらに含んで伝送することを特徴とする請求項３７に記載のマルチメディアメッセージサービス互換方法。
【発明の詳細な説明】
【技術分野】
【０００１】
本発明は、マルチメディアメッセージサービスに関し、特に、マルチメディアメッセージサービスを支援する端末によって作成されたマルチメディアメッセージをマルチメディアメッセージサービスを支援しない端末によって受信できるようにするマルチメディアメッセージサービス互換システム及び方法に関する。
【背景技術】
【０００２】
マルチメディアメッセージサービス(Multimedia Message Service: 以下、ＭＭＳと称する)は、テキスト基盤の短文メッセージに視覚的または聴覚的要素を加えて、動映像、イメージまたは背景音楽などを文字メッセージと共に伝送するメッセージサービスである。
【０００３】
ＭＭＳに対する関心及び該ＭＭＳの使用者の増加によって、短文メッセージサービス(Short Message Service: 以下、ＳＭＳと称する)のみを提供するＭＭＳ非支援端末に比べてＭＭＳを提供するＭＭＳ支援端末に対する需要が増加している。
従来技術による移動通信システムには、ＭＭＳ支援端末によって作成されたマルチメディアメッセージをＭＭＳ非支援端末によって確認できるように互換する方法が定義されていないため、前記ＭＭＳ非支援端末は、前記ＭＭＳ支援端末によって作成されたマルチメディアメッセージを確認することができない。即ち、前記ＭＭＳ支援端末によって作成されたマルチメディアメッセージを前記ＭＭＳ非支援端末に伝送する場合、前記ＭＭＳ非支援端末には、前記マルチメディアメッセージに含まれたテキスト情報またはマルチメディアメッセージの到着を知らせる公知情報のみが受信される。
【０００４】
また、ＭＭＳ非支援端末を使用する受信者が前記マルチメディアメッセージを確認するためには、パソコン(Personal Computer)を通して前記マルチメディアメッセージが保存されているウェブサーバーに接続しなければならない。
前述したように、従来には、ＭＭＳ支援端末によって作成されたマルチメディアメッセージをＭＭＳ非支援端末を通しては確認できないという問題点があり、さらに、ＭＭＳ非支援端末の使用者が前記マルチメディアメッセージを確認するためには、前記ＭＭＳ非支援端末以外の他のインターネット接続手段を通して前記マルチメディアメッセージが貯蔵されているウェブサーバーに接続しなければならないという面倒さがある。
【発明の開示】
【発明が解決しようとする課題】
【０００５】
従って、本発明の目的は、ＭＭＳ支援端末によって作成したマルチメディアメッセージをＭＭＳ非支援端末によって確認できるように互換するマルチメディアメッセージサービス互換システム及び方法を提供することにある。
【課題を解決するための手段】
【０００６】
このような目的を達成するために、本発明によるマルチメディアメッセージサービス互換システムは、送信端末から伝送されたマルチメディアメッセージが受信端末で具現できない場合、前記マルチメディアメッセージのフォーマットを変換し、前記変換されたマルチメディアメッセージのＵＲＬ(Uniform Resource Locator)及びアクセスコードを伝送する第１システムと、前記第１システムから通報されたＵＲＬ及びアクセスコードを受信端末に伝送する第２システムと、前記ＵＲＬに接続して前記フォーマットが変換されたマルチメディアメッセージを受信する受信端末と、を含んで構成されることを特徴とする。
【０００７】
また、本発明によるマルチメディアメッセージサービス互換システムは、前記第１システムと受信端末との間でマルチメディアメッセージに対する要請及び応答メッセージを伝送するＷＡＰ(Wireless Application Protocol)ゲートウェイをさらに含むことを特徴とする。
【０００８】
このような目的を達成するために、本発明によるマルチメディアメッセージサービス互換方法は、受信端末がＭＭＳ非支援端末である場合、第１システムが、前記マルチメディアメッセージを受信端末が支援するフォーマットに変換し、前記変換されたマルチメディアメッセージのＵＲＬ及びアクセスコードを第２システムを通して受信端末に通報する過程と、前記受信端末がＷＡＰゲートウェイを通して前記ＵＲＬに貯蔵されたマルチメディアメッセージを要請する過程と、前記第１システムが前記要請に対する認証を処理し、前記ＷＡＰゲートウェイを通して前記変換されたマルチメディアメッセージを受信端末に伝送する過程と、から構成されることを特徴とする。
【０００９】
従って、本発明は、以下を提供する。
１．マルチメディアメッセージを伝送するシステムにおいて、
送信端末から伝送されたマルチメディアメッセージが受信端末で具現できない場合、前記マルチメディアメッセージのフォーマットを変換し、前記変換されたマルチメディアメッセージのＵＲＬ(Uniform Resource Locator)及びアクセスコードを伝送する第１システムと、
前記第１システムから通報されたＵＲＬ及びアクセスコードを受信端末に伝送する第２システムと、
前記ＵＲＬに接続して前記フォーマットが変換されたマルチメディアメッセージを受信する受信端末と、
を含んで構成されることを特徴とするマルチメディアメッセージサービス互換システム。
２．前記第１システムと受信端末との間でマルチメディアメッセージに対する要請及び応答メッセージを伝送するＷＡＰ(Wireless Application Protocol)ゲートウェイをさらに含むことを特徴とする項目１に記載のマルチメディアメッセージサービス互換システム。
３．前記第１システムに連結された端末の固有情報を貯蔵するＨＬＲ(Home Location Register)をさらに含むことを特徴とする項目１に記載のマルチメディアメッセージサービス互換システム。
４．前記固有情報は、ＭＳＩＳＤＮ(Mobile station Integrated System Digital Network)とＭＩＮ(MobileIdentification Number)のうち少なくとも１つ以上を含むことを特徴とする項目３に記載のマルチメディアメッセージサービス互換システム。
５．前記第１システムは、
マルチメディアメッセージ及び該マルチメディアメッセージに対する情報を送受信する送受信ユニットと、
前記マルチメディアメッセージを前記受信端末で具現できるフォーマットのマルチメディアメッセージに変換する変換ユニットと、
前記マルチメディアメッセージ及び前記変換されたマルチメディアメッセージを貯蔵する貯蔵ユニットと、
前記変換されたマルチメディアメッセージのＵＲＬに接近可能なアクセスコードを生成及び貯蔵するアクセスコード生成ユニットと、
受信端末に搭載された連動プログラムを確認する情報確認ユニットと、
前記マルチメディアメッセージが到着したことを前記受信端末に知らせる公知ユニットと、
前記変換されたマルチメディアメッセージのＵＲＬに接近するための認証を処理する認証ユニットと、から構成されることを特徴とする項目１に記載のマルチメディアメッセージサービス互換システム。
６．前記貯蔵ユニットは、
送信端末から受信したマルチメディアメッセージを貯蔵する領域と、
変換ユニットによって変換されたマルチメディアメッセージを貯蔵するための領域と、を含むことを特徴とする項目５に記載のマルチメディアメッセージサービス互換システム。
７．前記貯蔵ユニットは、第１システムの外部に別途の貯蔵媒体として備えられることができることを特徴とする項目５に記載のマルチメディアメッセージサービス互換システム。
８．前記アクセスコード生成ユニットは、乱数発生アルゴリズムを利用して、毎度異なるアクセスコードを生成することを特徴とする項目５に記載のマルチメディアメッセージサービス互換システム。
９．前記認証ユニットは、
前記受信端末から伝送されるアクセスコードと前記アクセスコード生成ユニットに予め貯蔵されたアクセスコードを比較する方法と、前記受信端末の固有情報とＨＬＲに予め貯蔵された固有情報を比較する方法と、受信者が第１システムに予め設定したパスワードと前記受信端末を通して入力されるパスワードを比較する方法と、保安アルゴリズムによって変形された受信端末の固有情報を利用する方法とのうち、少なくとも１つ以上の方法を利用して前記受信端末の認証を処理することを特徴とする項目５に記載のマルチメディアメッセージサービス互換システム。
１０．前記第１システムは、ＭＭＳ(Multimedia Message Service)システムであることを特徴とする項目１に記載のマルチメディアメッセージサービス互換システム。
１１．前記第２システムは、ＳＭＳ(Short Message Service)システムであることを特徴とする項目１に記載のマルチメディアメッセージサービス互換システム。
１２．前記ＳＭＳシステムは、変換されたマルチメディアメッセージのＵＲＬ及びアクセスコードを含む短文メッセージを伝送することを特徴とする項目１１に記載のマルチメディアメッセージサービス互換システム。
１３．前記短文メッセージは、
マルチメディアメッセージの到着を公知するテキストと、前記ＵＲＬへの接続可否を聞くテキストと、マルチメディアメッセージに含まれたテキストの一部または全部とのうち少なくとも１つ以上を含むことを特徴とする項目１２に記載のマルチメディアメッセージサービス互換システム。
１４．前記第２システムは、ＷＡＰ ＰＰＧ(Push Proxy Gateway)であることを特徴とする項目１に記載のマルチメディアメッセージサービスシステム。
１５．前記ＷＡＰ ＰＰＧは、変換されたマルチメディアメッセージのＵＲＬ及びアクセスコードを含むＳＩメッセージを受信端末にプッシュすることを特徴とする項目１４に記載のマルチメディアメッセージサービスシステム。
１６．前記ＳＩメッセージは、マルチメディアメッセージの到着を公知するテキストと、前記ＵＲＬへの接続可否を聞くテキストと、マルチメディアメッセージに含まれたテキストの一部または全部とのうち少なくとも１つ以上を含むことを特徴とする項目１５に記載のマルチメディアメッセージサービスシステム。
１７．前記送信端末は、ＭＭＳ支援端末であることを特徴とする項目１に記載のマルチメディアメッセージサービス互換システム。
１８．前記受信端末は、ＭＭＳ非支援端末であることを特徴とする項目１に記載のマルチメディアメッセージサービス互換システム。
１９．マルチメディアメッセージを伝送するシステムにおいて、
受信端末がＭＭＳ非支援端末である場合、第１システムが、前記マルチメディアメッセージを受信端末が支援するフォーマットに変換し、前記変換されたマルチメディアメッセージのＵＲＬ及びアクセスコードを第２システムを通して受信端末に通報する過程と、
前記受信端末がＷＡＰゲートウェイを通して前記ＵＲＬに貯蔵されたマルチメディアメッセージを要請する過程と、
前記第１システムが前記要請に対する認証を処理し、前記ＷＡＰゲートウェイを通して前記変換されたマルチメディアメッセージを受信端末に伝送する過程と、
から構成されることを特徴とするマルチメディアメッセージサービス互換方法。
２０．前記第１システムは、ＭＭＳシステムであることを特徴とする項目１９に記載のマルチメディアメッセージサービス互換方法。
２１．前記第２システムは、ＳＭＳシステムであることを特徴とする項目１９に記載のマルチメディアメッセージサービス互換方法。
２２．前記第２システムは、ＷＡＰ ＰＰＧであることを特徴とする項目１９に記載のマルチメディアメッセージサービス互換方法。
２３．前記ＵＲＬ及びアクセスコードを通報する過程は、
前記第１システムが前記受信端末の固有情報を確認する過程と、
前記受信端末がＭＭＳ非支援端末であると、前記第１システムが前記マルチメディアメッセージのフォーマットを受信端末が支援するフォーマットに変換する過程と、
前記第１システムが前記変換されたマルチメディアメッセージのＵＲＬに接近するためのアクセスコードを算出する過程と、
前記第１システムが前記ＵＲＬ及びアクセスコードを第２システムに伝送する過程と、
前記第２システムが、所定のメッセージに前記ＵＲＬ及びアクセスコードを含めて受信端末に通報する過程と、から構成されることを特徴とする項目１９に記載のマルチメディアメッセージサービス互換方法。
２４．前記マルチメディアメッセージのフォーマットを変換する過程は、
前記受信端末がＭＭＳ非支援端末であると、前記第１システムが前記マルチメディアの到着を第２システムを通して受信端末に通報する過程と、
前記ＷＡＰゲートウェイを通して前記受信端末から前記マルチメディアメッセージに対する要請を受信する過程と、をさらに含むことを特徴とする項目２３に記載のマルチメディアメッセージサービス互換方法。
２５．前記所定のメッセージは、前記第２システムがＳＭＳシステムである場合、短文メッセージであることを特徴とする項目２３に記載のマルチメディアメッセージサービス互換方法。
２６．前記所定のメッセージは、前記第２システムがＷＡＰＰＰＧである場合、ＳＩ形式のメッセージであることを特徴とする項目２３に記載のマルチメディアメッセージサービス互換方法。
２７．前記マルチメディアメッセージを受信端末に伝送する過程は、
前記第１システムが前記ＵＲＬに対する認証を処理する過程と、
認証処理が完了すると、前記ＵＲＬに該当するマルチメディアメッセージを前記ＷＡＰゲートウェイを通して前記受信端末に伝送する過程と、から構成されることを特徴とする項目１９に記載のマルチメディアメッセージサービス互換方法。
２８．前記認証を処理する過程は、
前記受信端末から伝送されたアクセスコードと第１システムに予め貯蔵されたアクセスコードが一致するか否かを確認する過程と、
前記アクセスコードが一致すると、認証を処理する過程と、
前記アクセスコードが一致しないと、認証処理ができないことを受信端末に通報する過程と、から構成されることを特徴とする項目２７に記載のマルチメディアメッセージサービス互換方法。
２９．前記変換されたマルチメディアメッセージを受信した受信端末が前記マルチメディアメッセージと連動される所定のブラウザを活性化する過程と、
前記ブラウザを通してマルチメディアメッセージを具現する過程と、をさらに含むことを特徴とする項目１９に記載のマルチメディアメッセージサービス互換方法。
３０．送信端末からマルチメディアメッセージを受信した第１システムが受信端末の情報を確認する過程と、
前記受信端末がＭＭＳ非支援端末である場合、第１システムが公知ユニットを通して第２システムに前記マルチメディアメッセージの到着を通報する過程と、
前記第２システムが所定のメッセージを利用して前記マルチメディアメッセージの到着を前記受信端末に通報する過程と、
第１システムが前記受信端末からマルチメディアメッセージに対する受信要請をＷＡＰゲートウェイを通して受信する過程と、
前記第１システムが、変換ユニットによって前記マルチメディアメッセージを受信端末が支援するフォーマットに変換し、前記変換されたマルチメディアメッセージのＵＲＬに接近するためのアクセスコードをアクセスコード生成ユニットによって算出する過程と、
前記第１システムが前記変換されたマルチメディアメッセージのＵＲＬ及びアクセスコードを第２システムに伝送する過程と、
前記第２システムが、所定のメッセージを通して前記マルチメディアメッセージのＵＲＬ及びアクセスコードを前記受信端末に伝送する過程と、
前記受信端末がＷＡＰゲートウェイを通して前記ＵＲＬに接続すると、前記第１システムが前記アクセスコードを利用して認証を処理する過程と、
認証処理が完了すると、前記第１システムが前記マルチメディアメッセージを前記ＷＡＰゲートウェイを通して前記受信端末に伝送する過程と、
から構成されることを特徴とするマルチメディアメッセージサービス互換方法。
３１．前記受信端末の情報を確認する過程は、
第１システムがＨＬＲを通して受信端末の固有情報を確認する過程と、
第１システムの情報確認ユニットによって受信端末に搭載された連動プログラムを確認する過程と、から構成されることを特徴とする項目３０に記載のマルチメディアメッセージサービス互換方法。
３２．前記第１システムは、ＭＭＳシステムであることを特徴とする項目３０に記載のマルチメディアメッセージサービス互換方法。
３３．前記第２端末が伝送する所定のメッセージは、前記第２端末がＳＭＳシステムである場合、短文メッセージであることを特徴とする項目３０に記載のマルチメディアメッセージサービス互換方法。
３４．前記第２端末が伝送する所定のメッセージは、前記第２端末がＷＡＰＰＰＧである場合、ＳＩ形式のメッセージであることを特徴とする項目３０に記載のマルチメディアメッセージサービス互換方法。
３５．前記第２システムがマルチメディアメッセージの到着を受信端末に通報する過程は、マルチメディアメッセージのテキストの一部または全部を含んで伝送することを特徴とする項目３０に記載のマルチメディアメッセージサービス互換方法。
３６．前記第２システムがＵＲＬ及びアクセスコードを受信端末に伝送する過程は、マルチメディアメッセージの受信可否を聞くテキストをさらに含んで伝送することを特徴とする項目３０に記載のマルチメディアメッセージサービス互換方法。
３７．送信端末からマルチメディアメッセージを受信した第１システムが受信端末の情報を確認する過程と、
前記受信端末がＭＭＳ非支援端末である場合、第１システムが変換ユニットによって前記マルチメディアメッセージを受信端末が支援するフォーマットに変換し、前記変換されたマルチメディアメッセージのＵＲＬに接近するためのアクセスコードをアクセスコード生成ユニットによって算出する過程と、
前記第１システムが前記変換されたマルチメディアメッセージのＵＲＬ及びアクセスコードを第２システムに伝送する過程と、
前記第２システムが所定のメッセージを通して前記マルチメディアメッセージのＵＲＬ及びアクセスコードを前記受信端末に伝送する過程と、
前記受信端末がＷＡＰゲートウェイを通して前記ＵＲＬに接続すると、前記第１システムが前記アクセスコードを利用して認証を処理する過程と、
認証処理が完了すると、前記第１システムが前記マルチメディアメッセージを前記ＷＡＰゲートウェイを通して前記受信端末に伝送する過程と、
から構成されることを特徴とするマルチメディアメッセージサービス互換方法。
３８．前記受信端末の情報を確認する過程は、
第１システムがＨＬＲを通して受信端末の固有情報を確認する過程と、
第１システムの情報確認ユニットによって受信端末に搭載された連動プログラムを確認する過程と、から構成されることを特徴とする項目３７に記載のマルチメディアメッセージサービス互換方法。
３９．前記第１システムは、ＭＭＳシステムであることを特徴とする項目３７に記載のマルチメディアメッセージサービス互換方法。
４０．前記第２端末が伝送する所定のメッセージは、前記第２端末がＳＭＳシステムである場合、短文メッセージであることを特徴とする項目３７に記載のマルチメディアメッセージサービス互換方法。
４１．前記第２端末が伝送する所定のメッセージは、前記第２端末がＷＡＰＰＰＧである場合、ＳＩ形式のメッセージであることを特徴とする項目３７に記載のマルチメディアメッセージサービス互換方法。
４２．前記第２システムがＵＲＬ及びアクセスコードを受信端末に伝送する過程は、
マルチメディアメッセージの受信可否を聞くテキストと、マルチメディアメッセージのテキストの一部または全部とのうち少なくとも１つ以上をさらに含んで伝送することを特徴とする項目３７に記載のマルチメディアメッセージサービス互換方法。
【発明の効果】
【００１０】
本発明によるマルチメディアメッセージサービス互換システム及び方法は、ＭＭＳ支援端末によって作成したマルチメディアメッセージをＭＭＳ非支援端末によっても確認可能にすることによって使用者の便宜性を向上させるという効果がある。
【発明を実施するための最良の形態】
【００１１】
以下、図面を参照して本発明によるマルチメディアメッセージサービス互換システム及び方法の実施形態を説明する。
【００１２】
本発明は、ＭＭＳ支援端末によって作成されたマルチメディアメッセージをＭＭＳ非支援端末に伝送する場合、前記ＭＭＳ非支援端末によって具現できるフォーマットに変換されたマルチメディアメッセージのＵＲＬ(Uniform Resource Locator)及び前記ＵＲＬに接近できるアクセスコードを受信した前記ＭＭＳ非支援端末が前記アクセスコードを認証として利用して前記ＵＲＬに接続することによって、前記ＭＭＳ非支援端末の使用者が前記マルチメディアメッセージを確認可能にするマルチメディアメッセージ互換システム及び方法である。
【００１３】
図１は、本発明によるマルチメディアメッセージサービス互換システムに対する第１実施形態を示す構成図で、ＭＭＳ支援端末とＭＭＳ非支援端末間のマルチメディアメッセージ互換のためのシステムである。
【００１４】
図１に示すように、ＭＭＳクライアントを搭載し、送信者が作成したマルチメディアメッセージを伝送する送信端末１０と、前記マルチメディアメッセージが伝送される受信端末４０がＭＭＳ非支援端末であると、受信端末４０によって支援できるマルチメディアメッセージフォーマットに変換／貯蔵し、前記変換されたマルチメディアメッセージのＵＲＬ及び前記ＵＲＬに接近できるアクセスコード(Access Code)を算出するＭＭＳシステム２０と、前記マルチメディアメッセージの受信可否またはＭＭＳシステム２０によって算出された前記ＵＲＬ及びアクセスコードを含む短文メッセージを受信端末４０に伝送するＳＭＳシステム３０と、前記短文メッセージに含まれたＵＲＬ及びアクセスコードを抽出して前記ＵＲＬに接続するための認証手順を遂行することによって前記マルチメディアメッセージを要請し、端末に搭載されたブラウザを通して前記マルチメディアメッセージを出力する受信端末４０と、ＭＭＳシステム２０とＳＭＳシステム３０間のマルチメディアメッセージ要請及び応答に対するプロキシ(Proxy)の役割を遂行するＷＡＰゲートウェイ(WirelessApplication Protocol Gateway)５０と、前記端末の固有情報を貯蔵するＨＬＲ(Home Location Register)６０と、から構成される。このとき、送信端末１０は、ＭＭＳ支援端末で、受信端末４０は、ＭＭＳ非支援端末である。
【００１５】
ＭＭＳシステム２０は、ＭＭＳと関連した各種装置を総称するもので、ＭＭＳプロキシ中継器(MMS Proxy Relay)、ＭＭＳ中継サーバー(MMS Relay Server)及びＭＭＳセンター(MMS Center: ＭＭＳＣ)などがある。
【００１６】
図２は、本発明によるＭＭＳシステムの構造を示すブロック図で、ＭＭＳシステム２０は、ＭＭＳを支援する送信端末１０からマルチメディアメッセージを受信して受信端末４０のアドレスを確認し、受信端末４０にマルチメディアメッセージ及び各種情報を伝送する送受信ユニット２１と、前記マルチメディアメッセージを受信端末４０のブラウザから出力できるフォーマットの文書に変換する変換ユニット２３と、前記マルチメディアメッセージ及び変換ユニット２３によって変換された文書を貯蔵する貯蔵ユニット２２と、特定ＵＲＬに接近可能なアクセスコードを乱数発生アルゴリズムなどを利用して生成及び貯蔵するアクセスコード生成ユニット２４と、受信端末４０に搭載された連動プログラムを確認する情報確認ユニット２５と、前記マルチメディアメッセージが到着したことを受信端末４０に知らせる公知ユニット２６と、前記変換されたマルチメディアメッセージのＵＲＬに接近するための認証を遂行する認証ユニット２７と、を含む。
【００１７】
貯蔵ユニット２２は、受信端末４０から受信したマルチメディアメッセージを貯蔵する第１領域と、第１領域に貯蔵されたマルチメディアメッセージのうちＭＭＳ非支援端末が支援するフォーマットに変換された文書を貯蔵する第２領域と、を含む。即ち、貯蔵ユニット２２は、受信されたマルチメディアメッセージとフォーマットが変換されたマルチメディアメッセージをそれぞれの他の領域に貯蔵する。さらに、貯蔵ユニット２２は、ＭＭＳシステム２０の内部だけでなく、外部に別途の貯蔵媒体として備えることができる。
【００１８】
変換ユニット２３は、マルチメディアメッセージをＭＭＳ非支援端末で確認できるようにＷＭＬ(Wireless Markup Language)、ＸＨＴＭＬ(Extensible Hypertext MarkupLanguage)、ＣＨＴＭＬ(Compact HTML)のようなＭＬ(Markup Language)または他の類似のフォーマットに変換する。例えば、変換ユニット２３は、前記マルチメディアメッセージを‘text/vnd.Wap.wml’、‘application/vnd.wap.wmlc’、‘image/vnd.wap.wbmp’などの形態のＷＭＬ文書に変換する。
【００１９】
情報確認ユニット２５は、ＭＭＳクライアント、ブラウザまたはマルチメディアプレーヤーのように、提供サービスによって連動されるプログラムが受信端末４０に搭載されているか否かを確認可能にする情報を提供する。
【００２０】
認証ユニット２７は、受信者が入力した識別子及び受信端末４０の情報を利用して前記ＷＭＬ文書のＵＲＬに接近できるように認証過程を遂行する。このとき、認証ユニット２７は、前記識別子のみによって認証する方法と、ＭＳＩＳＤＮ(Mobile station Integrated System Digital Network)またはＭＩＮ(MobileIdentification Number)のような受信端末の情報によって認証する方法と、保安アルゴリズムによって変形された受信端末が情報を認証する方法と、受信者が前記ＭＭＳシステムに接続するために予め設定しておいたパスワードを入力する方法などを使用して認証過程を遂行することができ、さらに、上記方法のうち２種類以上の方法を組み合わせて認証を遂行することもできる。
【００２１】
ＳＭＳシステム３０は、ＭＭＳシステム２０の公知ユニット２６を通してマルチメディアメッセージが到着したことを知らせる公知メッセージ伝送が要請されるか、または、ＭＭＳシステム２０から伝送されたＵＲＬ及びアクセスコードを含むメッセージの伝送が要請されると、前記情報を含む短文メッセージを生成して該短文メッセージをＭＭＳ非支援端末４０に伝送する。このとき、前記短文メッセージは、前記マルチメディアメッセージの受信可否または前記ＵＲＬに接続するか否かを聞くテキストを含む。
【００２２】
さらに、ＳＭＳシステム３０は、オプション的に前記マルチメディアメッセージに含まれてテキストの全部または一部を短文メッセージに含めて伝送することができる。このとき、前記短文メッセージの１回の伝送容量は限定されているので、前記テキストが短文メッセージの容量を超過する場合、ＳＭＳシステム３０は、前記テキストを所定の容量単位に分割して１つ以上の短文メッセージとして伝送する。
【００２３】
ＭＭＳ非支援端末４０は、前記マルチメディアメッセージの到着可否を確認し、前記短文メッセージから前記ＷＭＬ文書のＵＲＬ及びアクセスコードを抽出した後、前記ＵＲＬに接続して前記マルチメディアメッセージを要請し、前記ＷＡＰゲートウェイ５０を通して受信されるマルチメディアメッセージを具現する。このとき、ＭＭＳ非支援端末４０は、テキスト及びイメージを具現するブラウザを基本的に搭載し、動映像を再生するマルチメディアプレーヤーを追加的に搭載する。
【００２４】
図３は、本発明によるマルチメディアメッセージサービス互換システムに対する第２実施形態を示す構成図で、第１実施形態のＳＭＳシステムをＷＡＰＰＰＧ(Push Proxy Gateway)に代替する。
【００２５】
ＷＡＰ ＰＰＧ８０は、ＭＭＳシステム２０の公知ユニット２６を通してマルチメディアメッセージが到着したことを知らせる公知メッセージ伝送が要請されるか、または、ＭＭＳシステム２０から伝送されたＵＲＬ及びアクセスコードを含むメッセージの伝送が要請されると、ＳＩ(Ｓervice Indication)形式のメッセージをＭＭＳ非支援端末４０に伝送する。このとき、前記ＳＩは、前記マルチメディアメッセージの受信可否を聞く短文メッセージまたは前記ＵＲＬを含む。
【００２６】
さらに、ＷＡＰ ＰＰＧ８０は、コネクション型(connection-oriented)方式またはコネクションレス(connectionless)方式によって前記ＳＩ形式のメッセージを伝送する。前記コネクション型方式によって前記メッセージを伝送する場合、ＷＡＰＰＰＧ８０は、ＭＭＳ非支援端末４０間にセッションを連結して前記ＳＩ形式のメッセージを伝送した後、前記セッション連結を遮断する。また、前記コネクションレス方式によって前記メッセージを伝送する場合、ＷＡＰＰＰＧ８０は、ＭＭＳ非支援端末４０間にセッションを連結せずに前記ＳＩ形式のメッセージを伝送する。
【００２７】
図４は、本発明によるマルチメディアメッセージサービス互換方法の一実施形態を示すフローチャートで、以下、図面を参照して前記マルチメディアメッセージ互換システムの動作を説明する。
【００２８】
まず、送信者がＭＭＳ支援端末１０によって作成したマルチメディアメッセージを送信すると(Ｓ１１)、ＭＭＳシステム２０は、送受信ユニット２１を通して前記マルチメディアメッセージを受信して貯蔵ユニット２２に貯蔵し、ＨＬＲ６０を通して前記マルチメディアメッセージが伝送される受信端末４０のアドレス(電話番号)を確認する(Ｓ１２)。このとき、前記マルチメディアメッセージは、テキスト、イメージ、動映像及びオーディオのうちいずれか１つ以上を含む。
【００２９】
ＭＭＳシステム２０は、受信端末４０に対する情報を情報確認ユニット２５を通して確認する(Ｓ１３)。このとき、ＭＭＳシステム２０は、受信端末４０がＭＭＳ支援端末であるか、ＭＭＳクライアント、ｎｏｎ-ＭＭＳクライアント、ブラウザ及びマルチメディアプレーヤーなどの連動プログラムが搭載されているかなどを確認する。
【００３０】
ここで、前記マルチメディアメッセージの具現を支援するＭＭＳクライアントの搭載可否によって、受信端末４０がＭＭＳ支援端末であるか、それともＭＭＳ非支援端末であるかが区分される。
【００３１】
ＭＭＳシステム２０は、受信端末４０がＭＭＳ支援端末であると(Ｓ１３)、前記マルチメディアメッセージを受信端末４０に伝送し(Ｓ１４)、受信端末４０がＭＭＳ非支援端末であると(Ｓ１３)、公知ユニット２６を通して受信端末４０に伝送されるために待機中のマルチメディアメッセージが存在することをＳＭＳシステム３０に通報する(Ｓ１５)。
【００３２】
ＳＭＳシステム３０は、前記マルチメディアメッセージが存在することを通報する公知メッセージを受信端末４０に伝送する(Ｓ１６)。このとき、前記公知メッセージは、短文メッセージで、前記マルチメディアメッセージの受信可否を聞くテキストを含み、前記マルチメディアメッセージに含まれたテキストの一部または全部を含むことができる。
【００３３】
前記公知メッセージを確認した受信者が前記マルチメディアメッセージの受信を許諾する場合(Ｓ１７)、受信端末４０は、前記マルチメディアメッセージを要請する応答メッセージをＷＡＰゲートウェイ５０を通してＭＭＳシステム２０に伝送し、前記応答メッセージを受信したＭＭＳシステム２０は、変換ユニット２３によって前記マルチメディアメッセージを受信端末４０が支援できる形式のメッセージに変換した後、貯蔵ユニット２２に貯蔵する(Ｓ１８)。このとき、貯蔵ユニット２２は、前記変換されたメッセージを貯蔵するための別途の領域を含み、該貯蔵ユニット２２は、ＭＭＳシステム２０の外部に別途の貯蔵媒体として備えられることもできる。
【００３４】
ここで、変換ユニット２３は、マルチメディアメッセージをＷＭＬ文書に変換すると仮定する。
【００３５】
ＭＭＳシステム２０のアクセスコード生成ユニット２４は、前記ＷＭＬ文書のＵＲＬに接近するためのアクセスコードを生成して貯蔵し(Ｓ１９)、前記生成されたアクセスコード及び前記ＵＲＬを含むメッセージを送受信ユニット２１を通してＳＭＳシステム３０に伝送する(Ｓ２０)。このとき、アクセスコード生成ユニット２４は、乱数発生アルゴリズムを利用して毎度異なるアクセスコードを生成する。
【００３６】
ＭＭＳシステム２０からＵＲＬ及びアクセスコードを受信したＳＭＳシステム３０は、前記ＵＲＬ及びアクセスコードを含む短文メッセージを受信端末４０に伝送し(Ｓ２１)、受信端末４０を通して前記短文メッセージを確認した受信者が前記ＵＲＬへの接続を要請すると、受信端末４０は、ＷＡＰゲートウェイ５０を通して要請メッセージを伝送することで前記ＵＲＬに接続する(Ｓ２２)。このとき、前記要請メッセージは、前記短文メッセージに含まれたアクセスコードを受信者が確認入力するか、または、前記短文メッセージを受信者が確認すると、自動的にアクセスコードを含んで伝送される応答メッセージである。
【００３７】
また、ＭＭＳシステム２０は、図６Ａに示すように、前記ＵＲＬとアクセスコードを分離して伝送するか、図６Ｂに示すように、前記ＵＲＬとアクセスコードを結合して伝送する。
【００３８】
受信端末４０が前記ＵＲＬに接続すると、ＭＭＳシステム２０は、認証ユニット２７を通して受信端末４０に対する認証確認手順を遂行する(Ｓ２４)。即ち、前記要請メッセージに含まれたアクセスコードが認証ユニット２７に貯蔵されたアクセスコードと一致するか否かを判断して、前記アクセスコードが一致すると、認証を処理し、前記アクセスコードが一致しないと、認証不可の処理後、不一致を受信端末４０に通報する(Ｓ２７)。
【００３９】
前記認証確認手順は、前記アクセスコードを利用する方法以外にも多様な方法によって実施できるが、そのうち１つの方法は、受信端末４０が固有情報(ＭＳＩＳＤＮまたはＭＩＮ)を利用して認証を処理する方法である。即ち、受信端末４０から伝送される端末の固有情報(ＭＳＩＳＤＮまたはＭＩＮ)とＨＬＲに予め貯蔵されている受信端末４０に対する固有情報を比較して、前記固有情報が一致すると、認証を処理し、前記固有情報が一致しないと、認証を不可処理する。
【００４０】
前記認証確認手順の他の実施形態としては、認証ユニット２７が受信端末４０のアクセスコード及び固有情報を利用して認証を処理する方法がある。即ち、受信端末４０から伝送されるアクセスコード及び固有情報を認証ユニット２７に貯蔵されたアクセスコード及びＨＬＲに予め貯蔵されている固有情報と比較して、前記アクセスコード及び固有情報が全て一致すると、認証を処理し、いずれか１つでも一致しないと、認証を不可処理する。
【００４１】
前記認証確認手順のまた他の実施形態としては、受信者がＭＭＳシステム２０に予め設定したパスワードと前記受信者が受信端末を通して入力するパスワードを比較して認証を処理する方法、または、保安アルゴリズムによって変形された受信端末４０の情報を利用して認証を処理する方法などがある。このとき、認証ユニット２７は、前記方法のうち２種類以上の方法を組み合わせて該当端末に対する認証を処理することができる。
【００４２】
前記認証が確認されると、ＭＭＳシステム２０は、受信端末４０が接続を要請したＵＲＬにＷＭＬ文書として貯蔵されたマルチメディアメッセージをＷＡＰゲートウェイ５０を通して受信端末４０に伝送する(Ｓ２５)。前記マルチメディアメッセージを受信した受信端末４０は、搭載されたブラウザを実行することで前記受信者に前記マルチメディアメッセージを確認させる(Ｓ２６)。このとき、前記マルチメディアメッセージに動映像が含まれている場合、受信端末４０は、動映像を再生し得るマルチメディアプレーヤーを実行する。
【００４３】
ＭＭＳシステム２０とＷＡＰゲートウェイ５０間に送受信される信号はＨ、ＴＴＰ(Hypertext transfer Protocol)で、ＷＡＰゲートウェイ５０とＭＭＳ非支援端末４０間に送受信される信号は、ＷＳＰ(WirelessSession Protocol)である。即ち、ＭＭＳ非支援端末４０からＷＡＰゲートウェイ５０を経て伝送される要請メッセージは、ＭＭＳ非支援端末４０とＷＡＰゲートウェイ５０間でＷＳＰとして伝送され、ＷＡＰゲートウェイ５０を通してＨＴＴＰに変換された後、ＭＭＳシステム２０に伝送される。
【００４４】
図５は、本発明によるマルチメディアメッセージサービス互換方法の他の実施形態を示すフローチャートである。
【００４５】
送信者がＭＭＳ支援端末１０によって作成したマルチメディアメッセージを送信すると(Ｓ３１)、ＭＭＳシステム２０は、送受信ユニット２１を通して前記マルチメディアメッセージを受信した後、貯蔵ユニット２２に貯蔵し、ＨＬＲ６０を通して前記マルチメディアメッセージが伝送される受信端末４０の電話番号を確認する(Ｓ３２)。
【００４６】
次に、ＭＭＳシステム２０の情報確認ユニット２５を通して受信端末４０に対する情報を確認する(Ｓ３３)。このとき、ＭＭＳシステム２０は、受信端末４０がＭＭＳ支援端末であるか、または、ＭＭＳクライアント、ｎｏｎ-ＭＭＳクライアント、ブラウザ、マルチメディアプレーヤーなどの連動プログラムを搭載しているか否かを確認する。
【００４７】
受信端末４０がＭＭＳクライアントを搭載したＭＭＳ支援端末である場合、ＭＭＳシステム２０は、貯蔵ユニット２２に貯蔵されたマルチメディアメッセージを受信端末４０に伝送する(Ｓ３４)。
【００４８】
しかしながら、受信端末４０がＭＭＳクライアントを搭載していないＭＭＳ非支援端末である場合、ＭＭＳシステム２０は、貯蔵ユニット２２に貯蔵したマルチメディアメッセージを変換ユニット２３によって受信端末４０が支援する形式のメッセージに変換した後、貯蔵ユニット２２に貯蔵する(Ｓ３５)。このとき、前記マルチメディアメッセージが貯蔵された領域と変換されたメッセージが貯蔵される領域は異なり、変換ユニット２３は、マルチメディアメッセージをＷＭＬ文書に変換する。
【００４９】
ＭＭＳシステム２０のアクセスコード生成ユニット２４は、前記ＷＭＬ文書のＵＲＬに接近するためのアクセスコードを生成して貯蔵し(Ｓ３５)、該生成されたアクセスコード及び前記ＵＲＬを含んで公知ユニット２６から生成されたメッセージは、送受信ユニット２１を経てＳＭＳシステム３０に伝送される(Ｓ３６)。このとき、アクセスコード生成ユニット２４は、乱数発生アルゴリズムを利用して毎度異なるアクセスコードを生成する。
【００５０】
ＭＭＳシステム２０からＷＭＬ文書のＵＲＬ及び該ＵＲＬに接近するためのアクセスコードを受信したＳＭＳシステム３０は、前記ＵＲＬ及びアクセスコード、ＭＭＳシステム２０に伝送されるために待機中のマルチメディアメッセージが存在することを知らせるテキスト、及び前記マルチメディアメッセージに含まれたテキストの全部または一部を含む短文メッセージを受信端末４０に伝送する(Ｓ３７)。このとき、前記マルチメディアメッセージのテキストの大きさが１つの短文メッセージによって伝送できる容量を超過する場合、前記テキストは１つ以上の短文メッセージまたは一回以上のトランザクション(transaction)によって伝送できる。
【００５１】
受信端末４０に伝送された短文メッセージを確認した受信者が前記ＵＲＬに接近して前記マルチメディアメッセージの受信を要請する場合、受信端末４０は、前記アクセスコードを含んだ要請メッセージをＷＡＰゲートウェイ５０を通してＭＭＳシステム２０に伝送することで前記ＵＲＬに接続を要請する(Ｓ３８)。このとき、前記要請メッセージは、受信端末４０とＷＡＰゲートウェイ５０間でＷＳＰとして伝送され、ＷＡＰゲートウェイ５０とＭＭＳシステム２０間ではＨＴＴＰとして伝送される。また、前記要請メッセージは、前記短文メッセージに含まれたアクセスコードを受信者が確認入力するか、前記短文メッセージを受信者が確認すると、自動的にアクセスコードを含んで伝送される応答メッセージである。
【００５２】
受信端末４０が前記ＵＲＬに接続すると、ＭＭＳシステム２０は、認証ユニット２７を通して受信端末４０に対する認証確認手順を遂行する(Ｓ３９)。即ち、前記要請メッセージに含まれたアクセスコードが認証ユニット２７に貯蔵されたアクセスコードと一致するか否かを判断して、前記アクセスコードが一致すると、認証を処理し、前記アクセスコードが一致しないと、認証不可を処理した後、不一致を受信端末４０に通報する(Ｓ４２)。
【００５３】
前記アクセスコードが一致したため、認証確認手順が完了すると、ＭＭＳシステム２０は、受信端末４０が接続を要請したＵＲＬにＷＭＬ文書として貯蔵されたマルチメディアメッセージをＷＡＰゲートウェイ５０を通して受信端末４０に伝送する(Ｓ４０)。前記マルチメディアメッセージを受信した受信端末４０は、搭載されたブラウザを実行することによって前記受信者に前記マルチメディアメッセージを確認させる(Ｓ４１)。このとき、前記マルチメディアメッセージに動映像が含まれている場合、前記受信端末４０は動映像を再生し得るマルチメディアプレーヤーを実行する。
【００５４】
前述したマルチメディアメッセージサービス互換方法の実施形態は、図１に示すように、ＳＭＳシステム３０が受信端末に公知メッセージを伝送するケースを利用して説明したが、図３に示すように、ＷＡＰＰＰＧ８０を通して受信端末４０に公知メッセージを伝送するケースに対しても同様に適用できる。
【００５５】
ＷＡＰ ＰＰＧ８０を前記マルチメディアメッセージサービス互換方法の実施形態に適用する場合、ＷＡＰＰＰＧ８０が短文メッセージの代りにＳＩ形式のメッセージを受信端末４０にプッシュ(Push)することを除いて、ＳＭＳシステム３０を利用したマルチメディアメッセージサービス互換方法と同一である。
【００５６】
図７は、本発明によるマルチメディアメッセージサービス互換方法に対する信号流れ図で、図４に示す実施形態を具現した信号流れ図である。
【００５７】
マルチメディアメッセージを貯蔵し、受信端末４０の固有情報を確認(Ｓ５１)したＭＭＳシステム２０は、前記マルチメディアメッセージの存在を知らせるために、ＳＭＳシステム３０またはＷＡＰ ＰＰＧ８０に‘Notify.ind’を伝送する(Ｓ５３)。このとき、前記‘Notify.ind’は、前記マルチメディアメッセージに含まれたテキストの一部または全体を含んでいる。
【００５８】
ＳＭＳシステム５０は、‘Notify.ind’をＳＭＳフォーマットに変換した後、受信端末４０に伝送し、ＷＡＰ ＰＰＧ８０は、‘Notify.ind’をＳＩ形式のメッセージに変換してコネクション型方式またはコネクションレス方式で受信端末４０にプッシュする(Ｓ５５)。
【００５９】
ＳＭＳシステム３０またはＷＡＰ ＰＰＧ８０から短文メッセージまたはＳＩメッセージを受信した受信端末４０が前記マルチメディアメッセージの受信を許容する場合、受信端末４０は、ＷＡＰゲートウェイ５０にＷＳＰＧＥＴを伝送し(Ｓ５７)、ＷＡＰゲートウェイ５０は、前記ＷＳＰ ＧＥＴをＨＴＴＰ ＧＥＴに変換してＭＭＳシステム２０に伝送する(Ｓ５９)。
【００６０】
ＭＭＳシステム２０は、マルチメディアメッセージを受信端末４０が支援するフォーマットに変換し(Ｓ６１)、変換された文書のＵＲＬ及び該ＵＲＬに接近するためのアクセスコードを含む‘Notify.ind’をＳＭＳシステム３０またはＷＡＰＰＰＧ８０に伝送する(Ｓ６３)。
【００６１】
ＳＭＳシステム３０は、‘Notify.ind’をＳＭＳフォーマットに変換した後、受信端末４０に伝送し、ＷＡＰ ＰＰＧ８０は、‘Notify.ind’をＳＩ形式のメッセージに変換して受信端末４０にプッシュする(Ｓ６５)。このとき、ＳＭＳシステム３０が伝送する短文メッセージまたはＷＡＰＰＰＧ８０が伝送するＳＩメッセージは、変換されたマルチメディアメッセージのＵＲＬ及びアクセスコードを含む。
【００６２】
ＳＭＳシステム３０またはＷＡＰ ＰＰＧ８０から短文メッセージまたはＳＩメッセージを受信した受信端末４０が前記ＵＲＬに接近を要請する場合、受信端末４０は、前記アクセスコードを含むＷＳＰＧＥＴを前記ＷＡＰゲートウェイ５０に伝送し(Ｓ６７)、ＷＡＰゲートウェイ５０は、前記ＷＳＰ ＧＥＴをＨＴＴＰ ＧＥＴに変換してＭＭＳシステム２０に伝送する(Ｓ６９)。
【００６３】
前記ＨＴＴＰ ＧＥＴを受信したＭＭＳシステム２０は、前記ＵＲＬに該当するＷＭＬ文書をＨＴＴＰｒｅｓｐとしてＷＡＰゲートウェイ５０に伝送し(Ｓ７１)、ＷＡＰゲートウェイ５０は、ＨＴＴＰ ｒｅｓｐをＷＳＰ ｒｅｓｐに変換して受信端末４０に伝送する(Ｓ７３)。即ち、ＷＡＰゲートウェイ５０は、ＭＭＳシステム２０とＭＭＳを支援しない受信端末４０との間でＨＴＴＰ形式のメッセージをＷＳＰ形式のメッセージに、または、ＷＳＰ形式のメッセージをＨＴＴＰ形式のメッセージに変換する。
【００６４】
図８は、本発明によるマルチメディアメッセージサービス互換方法に対する信号流れ図で、図５に示す実施形態を具現した信号流れ図である。
【００６５】
ＭＭＳシステム２０は、送信端末からマルチメディアメッセージを受信して受信端末４０の固有情報を確認した後、受信端末４０がＭＭＳ非支援端末であると、前記マルチメディアメッセージをＷＭＬ文書に変換して貯蔵し、前記ＷＭＬ文書に接近するためのアクセスコードを算出する(Ｓ８１)。
【００６６】
ＭＭＳシステム２０は、前記ＷＭＬ文書のＵＲＬ及びアクセスコード、前記マルチメディアメッセージのテキストの一部または全部を含む‘Notify.ind’をＳＭＳシステム３０またはＷＡＰ ＰＰＧ８０に伝送し(Ｓ８３)、ＳＭＳシステム３０またはＷＡＰ ＰＰＧ８０は、短文メッセージまたはＳＩ形式のメッセージを受信端末４０に伝送する(Ｓ８５)。
【００６７】
受信端末４０が前記ＷＭＬ文書のＵＲＬに接近を要請する場合、受信端末４０は、前記アクセスコードを含むＷＳＰＧＥＴをＷＡＰゲートウェイ５０に伝送し(Ｓ８９)、ＷＡＰゲートウェイ５０は、前記ＷＳＰ ＧＥＴをＨＴＴＰ ＧＥＴに変換してＭＭＳシステム２０に伝送する(Ｓ９１)。
【００６８】
前記ＨＴＴＰ ＧＥＴを受信したＭＭＳシステム２０は、前記ＵＲＬに該当するＷＭＬ文書をＨＴＴＰｒｅｓｐとしてＷＡＰゲートウェイ５０に伝送し(Ｓ９３)、ＷＡＰゲートウェイ５０は、ＨＴＴＰ ｒｅｓｐをＷＳＰ ｒｅｓｐに変換して受信端末４０に伝送する(Ｓ９５)。即ち、ＷＡＰゲートウェイ５０は、ＭＭＳシステム２０とＭＭＳを支援しない受信端末４０との間でＨＴＴＰ形式のメッセージをＷＳＰ形式のメッセージに、または、ＷＳＰ形式のメッセージをＨＴＴＰ形式のメッセージに変換する。
【００６９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００７０】
【図１】本発明によるマルチメディアメッセージサービス互換システムに対する一実施形態を示す構成図である。
【図２】本発明によるＭＭＳシステムの構成を示すブロック図である。
【図３】本発明によるマルチメディアメッセージサービス互換システムに対する他の実施形態を示す構成図である。
【図４Ａ】本発明によるマルチメディアメッセージサービス互換方法の一実施形態を示すフローチャートである。
【図４Ｂ】本発明によるマルチメディアメッセージサービス互換方法の一実施形態を示すフローチャートである。
【図５】本発明によるマルチメディアメッセージサービス互換方法の他の実施形態を示すフローチャートである。
【図６】Ａ及びＢは、ＵＲＬ及びアクセスコードの伝送方法を示す概念図である。
【図７】図４を信号によって実現した信号流れ図である。
【図８】図５を信号によって実現した信号流れ図である。
【図１】
2005209199.tif 000003
【図２】
2005209199.tif 000004
【図３】
2005209199.tif 000005
【図４Ａ】
2005209199.tif 000006
【図４Ｂ】
2005209199.tif 000007
【図５】
2005209199.tif 000008
【図６】
2005209199.tif 000009
【図７】
2005209199.tif 000010
【図８】
2005209199.tif 000011